(57)【要約】【課題】籾殻及び糠を排出するための排出路の構成が簡単で、製作コストを低減することができる籾すり精米機を提供する。【解決手段】籾を脱ぷする籾すり装置１２と、玄米を精米する精米装置１３とを備える。籾すり装置１２で発生する籾殻Ｒ２ａと、精米装置１３で発生する糠Ｒ３ａとを一カ所に回収して排出するための１つの排出路１４を設ける。排出路１４の終端部にはサイクロン３８を設ける。【選択図】      図１
2004223421.tif 000002
【特許請求の範囲】
【請求項１】
籾を脱ぷする籾すり装置と、玄米を精米する精米装置とを備えた籾すり精米機において、
前記籾すり装置で発生する籾殻と、精米装置で発生する糠とを一カ所に回収して排出するための１つの排出路を設けたことを特徴とする籾すり精米機。
【請求項２】
前記排出路の終端部にはサイクロンを設けたことを特徴とする請求項１に記載の籾すり精米機。
【請求項３】
前記排出路の始端部には排出ファンを設け、籾すり装置から延びる籾殻回収路及び精米装置から延びる糠回収路を排出ファンの吸入側に接続したことを特徴とする請求項１または請求項２に記載の籾すり精米機。
【発明の詳細な説明】
【０００１】
【発明の属する技術分野】
この発明は、籾を脱ぷする籾すり装置と、玄米を精米する精米装置とを備えた籾すり精米機に関するものである。
【０００２】
【従来の技術】
従来のこの種の籾すり精米機としては、例えば、特許文献１に開示されるような構成のものが提案されている。この従来構成においては、籾すり装置で発生する籾殻が排出ファンの吸引作用により排出路に回収され、その排出路の終端部に設けられたサイクロンから籾殻袋内等に排出収容されるようになっている。また、精米装置で発生する糠が本体内に設けられた糠受け部に落下収容されるようになっている。
【０００３】
【特許文献１】
実公平５−１０９２２号公報
【０００４】
【発明が解決しようとする課題】
ところが、この従来の籾すり精米機においては、糠受け部に落下収容された糠を袋等に回収する作業が非常に面倒で手間が掛かるという問題があった。
【０００５】
このような問題に対処するため、籾殻用の排出路と別に糠用の排出路を設け、精米装置で発生する糠を糠用の排出路に回収した後、その排出路の終端部に設けられたサイクロンから袋内等に排出収容するように構成した籾すり精米機も従来から提案されている。
【０００６】
しかしながら、この籾すり精米機においては、サイクロンを含む排出路が籾殻用及び糠用として各別に設けられているため、排出路の構成が複雑で製作コストが高くなるという問題があった。
【０００７】
この発明は、このような従来の技術に存在する問題点に着目してなされたものである。その目的は、籾殻及び糠を排出するための排出路の構成が簡単で、製作コストを低減することができる籾すり精米機を提供することにある。
【０００８】
【課題を解決するための手段】
上記の目的を達成するために、請求項１に記載の発明は、籾を脱ぷする籾すり装置と、玄米を精米する精米装置とを備えた籾すり精米機において、前記籾すり装置で発生する籾殻と、精米装置で発生する糠とを一カ所に回収して排出するための１つの排出路を設けたことを特徴とするものである。
【０００９】
従って、この請求項１に記載の発明によれば、籾殻及び糠を排出するための排出路を各別に設ける必要がなく、その排出路の構成が簡単で製作コストを低減することができる。
【００１０】
請求項２に記載の発明は、請求項１に記載の発明において、前記排出路の終端部にサイクロンを設けたことを特徴とするものである。
従って、この請求項２に記載の発明によれば、籾殻及び糠をサイクロンから袋等に容易に排出収容することができる。
【００１１】
請求項３に記載の発明は、請求項１または請求項２に記載の発明において、前記排出路の始端部に排出ファンを設け、籾すり装置から延びる籾殻回収路及び精米装置から延びる糠回収路を排出ファンの吸入側に接続したことを特徴とするものである。
【００１２】
従って、この請求項３に記載の発明によれば、１つの排出ファンにより籾殻及び糠を排出路に回収することができて、構成を一層簡略化することができる。
【００１３】
【発明の実施の形態】
以下に、この発明の一実施形態を、図面に基づいて説明する。
図１に示すように、籾すり精米機の本体１１はほぼ箱形に形成され、その本体１１内には籾Ｒ１を脱ぷするための籾すり装置１２と、玄米Ｒ２を精米するための精米装置１３とが配設されている。また、本体１１には籾すり装置１２で発生する籾殻Ｒ２ａと、精米装置１３で発生する糠Ｒ３ａとを一カ所に回収して排出するための１つの排出路１４が設けられている。
【００１４】
図１及び図２に示すように、前記籾すり装置１２は、籾ホッパ１５と、脱ぷファン１６と、選別機構１７とから構成されている。脱ぷファン１６は作動軸１８の一端に取り付けられ、その外周がファンケース１９により覆われている。そして、脱ぷファン１６が駆動モータ２０により、プーリ２１，２２及びベルト２３を介して回転されて、籾ホッパ１５から供給される籾Ｒ１がファンケース１９内で脱ぷされるようになっている。
【００１５】
前記選別機構１７はケース２４を備え、そのケース２４内には複数の選別板２５が配設されている。ケース２４の側部には受入口２４ａが形成され、その受入口２４ａが接続ホース２６を介してファンケース１９の吐出口１９ａに接続されている。ケース２４の下部には玄米吐出口２４ｂ及び籾殻排出口２４ｃが形成され、その籾殻排出口２４ｃには籾殻回収路としての籾殻回収ホース２７が接続されている。そして、脱ぷファン１６のファンケース１９から接続ホース２６を介して選別機構１７のケース２４内に供給される脱ぷ米が、複数の選別板２５によって玄米Ｒ２と籾殻Ｒ２ａとに選別される。これにより、玄米Ｒ２が玄米吐出口２４ｂから、後述する精米装置１３の玄米ホッパ２８内に排出されるようになっている。
【００１６】
図１及び図３に示すように、前記精米装置１３は、玄米ホッパ２８と、精米軸２９とから構成され、その精米軸２９の外周がケース３０により覆われている。ケース３０の端部には、白米排出口３１が設けられている。ケース３０の下部には糠排出口３０ａが形成され、その糠排出口３０ａには糠回収路としての糠回収ホース３２が接続されている。そして、精米軸２９が前記駆動モータ２０により、プーリ３３，３４及びベルト３５を介して回転されて、玄米ホッパ２８から供給される玄米Ｒ２がケース３０内で精米され、白米Ｒ３が白米排出口３１から排出されるようになっている。
【００１７】
図１〜図３に示すように、前記排出路１４の始端部には排出ファン３６が設けられている。この排出ファン３６は前記籾すり装置１２における脱ぷファン１６と同一の作動軸１８上に取り付けられ、その外周がファンケース３７により覆われている。ファンケース３７には籾殻吸入口３７ａ及び糠吸引口３７ｂが形成され、これらの吸入口３７ａ，３７ｂには、籾すり装置１２の選別機構１７から延びる籾殻回収ホース２７及び精米装置１３から延びる糠回収ホース３２が接続されている。
【００１８】
前記排出路１４の終端部に接続されるように、本体１１の外側面にはサイクロン３８が配設され、このサイクロン３８の下端には回収袋Ｂが着脱可能に取り付けられるようになっている。そして、排出ファン３６が駆動モータ２０にて回転されることにより、籾すり装置１２の選別機構１７で発生する籾殻Ｒ２ａ及び精米装置１３で発生する糠Ｒ３ａが、回収ホース２７，３２を介してファンケース３７内に回収される。さらに、回収された籾殻Ｒ２ａ及び糠Ｒ３ａが排出路１４を介してサイクロン３８内に移送され、そのサイクロン３８の下端から回収袋Ｂ内に排出収容されるようになっている。
【００１９】
図１に示すように、前記本体１１の上部前面には切換操作レバー３９が配設されている。そして、この切換操作レバー３９を切換操作することにより、図示しない切換機構を介して、駆動モータ２０と作動軸１８との間のベルト２３、及び駆動モータ２０と精米軸２９との間のベルト３５が緊張状態または弛緩状態に切り換えられる。これにより、駆動モータ２０と作動軸１８または精米軸２９との間が動力伝達状態または動力遮断状態になって、籾すり装置１２と精米装置１３とが選択的に運転されるようになっている。
【００２０】
従って、この実施形態によれば、以下のような効果を得ることができる。
（１）  この籾すり精米機においては、籾Ｒ１を脱ぷする籾すり装置１２と、玄米Ｒ２を精米する精米装置１３とが装備されている。また、籾すり装置１２で発生する籾殻Ｒ２ａと、精米装置１３で発生する糠Ｒ３ａとを一カ所に回収して排出するための１つの排出路１４が設けられている。このため、籾殻Ｒ２ａ及び糠Ｒ３ａを排出するための排出路を各別に設ける必要がなく、その排出路の構成が簡単で製作コストを低減することができる。
【００２１】
（２）  この籾すり精米機においては、前記排出路１４の終端部にサイクロン３８が設けられている。このため、籾殻Ｒ２ａ及び糠Ｒ３ａをサイクロン３８から袋等に容易に排出収容することができる。
【００２２】
（３）  この籾すり精米機においては、前記排出路１４の始端部に排出ファン３６が設けられ、籾すり装置１２から延びる籾殻回収ホース２７及び精米装置１３から延びる糠回収ホース３２が排出ファン３６の吸入口３７ａ，３７ｂに接続されている。このため、１つの排出ファン３６により籾殻Ｒ２ａ及び糠Ｒ３ａを排出路１４に回収することができて、構成を一層簡略化することができる。
【００２３】
（４）  この籾すり精米機においては、前記排出ファン３６が籾すり装置１２の脱ぷファン１６と同一の作動軸１８上に設けられている。このため、排出ファン３６のための駆動モータを別に装備する必要がなく、１つの駆動モータ２０により、籾すり装置１２の脱ぷファン１６と排出ファン３６とを回転させることができて、構成を一層簡略化することができる。
【００２４】
（変更例）
なお、この実施形態は、次のように変更して具体化することも可能である。
・  前記実施形態において、排出ファン３６を籾すり装置１２の脱ぷファン１６と別の作動軸上に設けて、別の駆動モータにより回転させるように構成すること。
【００２５】
・  前記実施形態において、籾すり装置１２及び精米装置１３の構成を任意に変更すること。
（別の技術的思想）
さらに、上記実施形態により把握される請求項以外の技術的思想について、以下にそれらの効果とともに記載する。
【００２６】
・  前記排出ファンを籾すり装置の脱ぷファンと同一の作動軸上に設けた請求項３に記載の籾すり精米機。
この構成によれば、排出ファンのための駆動モータを別に装備する必要がなく、１つの駆動モータにより、籾すり装置の脱ぷファンと排出ファンとを回転させることができて、構成を一層簡略化することができる。
【００２７】
・  サイクロンを本体の上部に設けたことを特徴とする請求項１〜３のいずれかに記載の籾すり精米機。
【００２８】
【発明の効果】
以上、実施形態で例示したように、この発明においては、籾殻及び糠を排出するための排出路の構成が簡単で、製作コストを低減することができる。
【図面の簡単な説明】
【図１】一実施形態の籾すり精米機を示す正断面図。
【図２】図１の２−２線における断面図。
【図３】図１の３−３線における断面図。
【符号の説明】
１２…籾すり装置、１３…精米装置、１４…排出路、１６…脱ぷファン、１８…作動軸、２０…駆動モータ、２７…籾殻回収路としての籾殻回収ホース、３２…糠回収路としての糠回収ホース、３６…排出ファン、３８…サイクロン、Ｒ１…籾、Ｒ２…玄米、Ｒ２ａ…籾殻、Ｒ３ａ…糠。
【図１】
2004223421.tif 000003
【図２】
2004223421.tif 000004
【図３】
2004223421.tif 000005